(57)【要約】      （修正有）【課題】迅速なるフォーカシングが容易で、しかもフォーカシング時の光学性能を良好に維持することが容易な光学系を提供する。【解決手段】物体側から像側へ順に配置された、正の屈折力の第１レンズ群Ｌ１、正の屈折力の第２レンズ群Ｌ２、正の屈折力の第３レンズ群Ｌ３より構成され、合焦に際して前記第１レンズ群Ｌ１は不動であり、無限遠から近距離への合焦に際し、少なくとも第２レンズ群Ｌ２が光軸に沿って物体側に移動し、第２レンズ群Ｌ２は、正レンズと、正レンズの像側に配置された負レンズと、負レンズの像側に配置された開口絞りを含み、第３レンズ群Ｌ３は、正レンズと、負レンズを含み、第３レンズ群Ｌ３の光軸上の長さＤ３、空気換算でのバックフォーカスＢＦを各々適切に設定する。【選択図】図１
2019049646.tif 000002
【特許請求の範囲】
【請求項１】
物体側から像側へ順に配置された、正の屈折力の第１レンズ群、正の屈折力の第２レンズ群、正の屈折力の第３レンズ群より構成され、合焦に際して前記第１レンズ群は不動であり、無限遠から近距離への合焦に際し、少なくとも前記第２レンズ群が光軸に沿って物体側に移動し、前記第２レンズ群は、正レンズと、該正レンズの像側に配置された負レンズと、該負レンズの像側に配置された開口絞りを含み、前記第３レンズ群は、正レンズと、負レンズを含み、前記第３レンズ群の光軸上の長さをＤ３、空気換算でのバックフォーカスをＢＦとするとき、
１．０＜Ｄ３／ＢＦ＜３．０
なる条件式を満足することを特徴とする光学系。
【請求項２】
全系の焦点距離をｆ、前記第１レンズ群の焦点距離をｆ１、前記第２レンズ群の焦点距離をｆ２、前記第３レンズ群の焦点距離をｆ３とするとき、
２．０＜ｆ１／ｆ＜１０．０
０．８＜ｆ２／ｆ＜１．１
３．０＜ｆ３／ｆ＜１０．０
なる条件式を満足することを特徴とする請求項１に記載の光学系。
【請求項３】
前記第２レンズ群は非球面形状のレンズ面を含む非球面レンズを含み、該非球面レンズの材料のｄ線における屈折率をＮａｓｐとするとき、
Ｎａｓｐ＞１．７０
なる条件式を満たすことを特徴とする請求項１または２に記載の光学系。
【請求項４】
前記第２レンズ群は物体側から像側へ順に配置された、正レンズ２１、正レンズ２２、負レンズ２３、開口絞りを有し、前記負レンズ２３は非球面形状のレンズ面を含み、かつ物体側に凸面を向けたメニスカス形状よりなることを特徴とする請求項１乃至３のいずれか１項に記載の光学系。
【請求項５】
前記第３レンズ群は両凸形状よりなる空気レンズを含み、該空気レンズの物体側のレンズ面の曲率半径をＲａ１、像側のレンズ面の曲率半径をＲａ２とするとき、
−１＜（Ｒａ１＋Ｒａ２）／（Ｒａ１−Ｒａ２）＜５
なる条件式を満足することを特徴とする請求項１乃至４のいずれか１項に記載の光学系。
【請求項６】
前記第３レンズ群は物体側から像側へ順に配置された、正レンズと負レンズを接合した接合レンズ、負レンズ、正レンズからなることを特徴とする請求項１乃至５のいずれか１項に記載の光学系。
【請求項７】
前記第１レンズ群は物体側から像側へ順に配置された、正レンズ、正レンズ、負レンズからなることを特徴とする請求項１乃至６のいずれか１項に記載の光学系。
【請求項８】
前記第２レンズ群は最も物体側に正レンズ２１を有し、前記正レンズ２１の材料のｇ線とＦ線の部分分散比をθｇｆ２１とするとき、
θｇｆ２１＞０．６１
なる条件式を満足することを特徴とする請求項１乃至７のいずれか１項に記載の光学系。
【請求項９】
前記第２レンズ群は物体側から像側へ順に配置された、正レンズ２１、正レンズ２２を有し、前記正レンズ２２の材料のｇ線とＦ線の部分分散比をθｇｆ２２とするとき、
θｇｆ２２＜０．５５
なる条件式を満足することを特徴とする請求項１乃至８のいずれか１項に記載の光学系。
【請求項１０】
フォーカシングに際して、前記第３レンズ群は前記第２レンズ群と互いに異なった軌跡で移動することを特徴とする請求項１乃至９のいずれか１項に記載の光学系。
【請求項１１】
請求項１乃至１０のいずれか１項に記載の光学系と、該光学系によって形成される像を受光する光電変換素子とを備えることを特徴とする撮像装置。
【発明の詳細な説明】
【技術分野】
【０００１】
本発明は光学系及びそれを有する撮像装置に関し、たとえば、デジタルスチルカメラ、デジタルビデオカメラ、ＴＶカメラ、監視用カメラ等の撮像光学系として好適なものである。
【背景技術】
【０００２】
撮像装置に用いられる撮像光学系として、Ｆナンバー（Ｆｎｏ）が１．２〜２．０程度と大口径比で、焦点距離が比較的長い中望遠型の撮像光学系が知られている。中望遠型の撮像光学系はポートレート撮影や屋内スポーツでの撮影で広く使用されている。またこのような撮像光学系には、迅速にフォーカス（合焦）ができること、フォーカシングに際して収差変動が少ないこと等が強く要望されている。
【０００３】
フォーカス速度が速いフォーカシング方式として、レンズ系の中間に位置する小型軽量のレンズ群を動かしてフォーカシングをするインナーフォーカス方式が知られている。インナーフォーカス方式を用いた中望遠型で高い光学性能を有した撮像装置が知られている（特許文献１、２）。特許文献１、２は物体側から像側へ順に、正の屈折力の第１レンズ群、正の屈折力の第２レンズ群、開口絞り、正の屈折力の第３レンズ群より構成され、第２レンズ群を光軸上に移動させてフォーカシングを行う光学系を開示している。
【先行技術文献】
【特許文献】
【０００４】
【特許文献１】特開平７−１９９０６６号公報
【特許文献２】特開２０１３−２５１５７号公報
【発明の概要】
【発明が解決しようとする課題】
【０００５】
フォーカシング方式としてインナーフォーカス方式は比較的、小型軽量のレンズ群でフォーカシングすることができ、迅速なるフォーカシングが容易である。
【０００６】
大口径比で焦点距離が比較的長い中望遠型の光学系では、フォーカシングに際しての収差変動が少なく、物体距離全般にわたり高い光学性能を得るには、フォーカスレンズ群を適切に選択し、かつレンズ構成を適切に構成することが重要になってくる。
【０００７】
特に大口径で中望遠型の光学系では被写界深度が狭くなるため、球面収差の他、軸上色収差や像面湾曲等の諸収差を良好に補正しないと、画面全体で高い光学性能を得ることが困難になってくる。
【０００８】
本発明は、迅速なるフォーカシングが容易で、しかもフォーカシング時の光学性能を良好に維持することが容易な光学系の提供を目的とする。
【課題を解決するための手段】
【０００９】
本発明の光学系は、物体側から像側へ順に配置された、正の屈折力の第１レンズ群、正の屈折力の第２レンズ群、正の屈折力の第３レンズ群より構成され、合焦に際して前記第１レンズ群は不動であり、無限遠から近距離への合焦に際し、少なくとも前記第２レンズ群が光軸に沿って物体側に移動し、前記第２レンズ群は、正レンズと、該正レンズの像側に配置された負レンズと、該負レンズの像側に配置された開口絞りを含み、前記第３レンズ群は、正レンズと、負レンズを含み、前記第３レンズ群の光軸上の長さをＤ３、空気換算でのバックフォーカスをＢＦとするとき、
１．０＜Ｄ３／ＢＦ＜３．０
なる条件式を満足することを特徴としている。
【発明の効果】
【００１０】
本発明によれば、迅速なるフォーカシングが容易で、しかもフォーカシング時の光学性能を良好に維持することが容易な光学系が得られる。
【図面の簡単な説明】
【００１１】
【図１】（Ａ）、（Ｂ）  実施例１の無限遠物体に合焦時のレンズ断面図と縦収差図
【図２】（Ａ）、（Ｂ）  実施例２の無限遠物体に合焦時のレンズ断面図と縦収差図
【図３】（Ａ）、（Ｂ）  実施例３の無限遠物体に合焦時のレンズ断面図と縦収差図
【図４】（Ａ）、（Ｂ）  実施例４の無限遠物体に合焦時のレンズ断面図と縦収差図
【図５】本発明の撮像装置の要部概略図
【発明を実施するための形態】
【００１２】
以下に、本発明の光学系及びそれを有する撮像装置について説明する。本発明の光学系は、物体側から像側へ順に配置された、正の屈折力の第１レンズ群、正の屈折力の第２レンズ群、正の屈折力の第３レンズ群より構成されている。そして合焦に際して第１レンズ群は不動であり、無限遠から近距離への合焦に際し、少なくとも第２レンズ群が光軸に沿って物体側に移動する。
【００１３】
図１（Ａ）、（Ｂ）は本発明の実施例１の無限遠に合焦（フォーカス）したときのレンズ断面図と縦収差図である。実施例１は焦点距離８６．５、Ｆナンバー１．２４程度の光学系である。図２（Ａ）、（Ｂ）は本発明の実施例２の無限遠に合焦（フォーカス）したときのレンズ断面図と縦収差図である。実施例２は焦点距離８６．５、Ｆナンバー１．２４程度の光学系である。
【００１４】
図３（Ａ）、（Ｂ）は本発明の実施例３の無限遠に合焦（フォーカス）したときのレンズ断面図と縦収差図である。実施例３は焦点距離１００．０、Ｆナンバー１．４６程度の光学系である。図４（Ａ）、（Ｂ）は本発明の実施例４の無限遠に合焦（フォーカス）したときのレンズ断面図と縦収差図である。実施例４は焦点距離１００．０、Ｆナンバー１．４５程度の光学系である。図５は本発明の撮像装置の要部概略図である。
【００１５】
レンズ断面図において左側が物体側（前方、拡大側）、右側が像側（後方、縮小側）である。Ｌ０は光学系である。Ｌ１は正の屈折力の第１レンズ群、Ｌ２は正の屈折力の第２レンズ群、Ｌ３は正の屈折力の第３レンズ群である。ＳＰは開口絞りである。フォーカスに関する矢印は無限遠から至近へのフォーカシングに際してのレンズ群の移動方向を示ししている。
【００１６】
ＩＰは像面であり、ビデオカメラやデジタルスチルカメラの撮像光学系として用いる際にはＣＣＤセンサやＣＭＯＳセンサ等の固体撮像素子（光電変換素子）の撮像面に相当する。
【００１７】
球面収差図において、ｄはｄ線（波長５８７．６ｎｍ）、ｇはｇ線（波長４３５．８ｎｍ）、ＣはＣ線（波長６５６．３ｎｍ）、ＦはＦ線（波長４８６．１ｎｍ）を表している。非点収差図において、Ｍはｄ線のメリディオナル像面、Ｓはｄ線のサジタル像面を表す。歪曲収差はｄ線について表している。倍率色収差図において、ｇはｇ線、ＣはＣ線、ＦはＦ線を表す。ＦｎｏはＦナンバーである。Ｈは像高である。
【００１８】
本発明の光学系Ｌ０は、物体側から像側へ順に配置された、正の屈折力の第１レンズ群Ｌ１、正の屈折力の第２レンズ群Ｌ２、正の屈折力の第３レンズ群Ｌ３より構成される。無限遠から近距離への合焦（フォーカシング）に際し、少なくとも第２レンズ群Ｌ２が光軸に沿って物体側に移動する。合焦に際して第１レンズ群Ｌ１は不動である。
【００１９】
Ｆｎｏが２．０以下の所謂大口径比の中望遠レンズでは、入射瞳径が大きくなるため、レンズの前玉有効径が大きくなりやすい。合焦の際に、この前玉有効径の大きなレンズを移動させようとするとフォーカスレンズ群は極めて重くなる。このため、正の屈折力の第１レンズ群を合焦の際に不動とすることが好ましい。
【００２０】
本発明の光学系において、第２レンズ群Ｌ２は所謂ダブルガウス型に近いレンズ構成をとっており、開口絞りＳＰを挟んで物体側と像側に複数レンズを配置している。これにより高い光学性能を確保しつつ、合焦の際の光学性能を良好に維持している。第３レンズ群は短いバックフォーカスを利用して複数のレンズを有することで、合焦の際の光学性能の向上を図りつつ、全体のペッツバール和を低減できるレンズ構成としている。これにより、良好な像面特性を得ている。
【００２１】
第２レンズ群Ｌ２は、正レンズと、正レンズの像側に配置された負レンズと、負レンズの像側に配置された開口絞りを含む。第３レンズ群Ｌ３は、正レンズと、負レンズを含み、第３レンズ群Ｌ３の光軸上の長さをＤ３、空気換算でのバックフォーカスをＢＦとする。このとき、
１．０＜Ｄ３／ＢＦ＜３．０    ・・・（１）
なる条件式を満足する。
【００２２】
条件式（１）は短いバックフォーカスを利用して、複数のレンズを効果的に配置することができるようにして、これにより色収差とペッツバール和を効果的に補正している。条件式（１）の下限を超えると第３レンズ群Ｌ３のレンズ群長が短くなりすぎ、各レンズの屈折力を十分に得ることが困難となり、諸収差の補正が不十分となる。条件式（１）の上限値を超えると第３群が長くなりすぎ、第２群の必要な移動量が確保できなくなるため好ましくない。
【００２３】
各実施例において好ましくは次の条件式のうち１つ以上を満足するのが良い。全系の焦点距離をｆ、第１レンズ群Ｌ１の焦点距離をｆ１、第２レンズ群Ｌ２の焦点距離をｆ２、第３レンズ群Ｌ３の焦点距離をｆ３とする。第２レンズ群Ｌ２は非球面形状のレンズ面を含む非球面レンズを含み、非球面レンズの材料のｄ線における屈折率をＮａｓｐとする。第３レンズ群Ｌ３は両凸形状よりなる空気レンズを含み、空気レンズの物体側のレンズ面の曲率半径をＲａ１、像側のレンズ面の曲率半径をＲａ２とする。
【００２４】
第２レンズ群Ｌ２は最も物体側に正レンズ２１を有し、正レンズ２１の材料のｇ線とＦ線の部分分散比をθｇｆ２１とする。第２レンズ群Ｌ２は物体側から像側へ順に配置された、正レンズ２１、正レンズ２２を有し、正レンズ２２の材料のｇ線とＦ線の部分分散比をθｇｆ２２とする。尚、材料のアッベ数νｄ、部分分散比θｇＦは次の式で表される。
【００２５】
ｇ線、Ｆ線、ｄ線、Ｃ線に対する材料の屈折率をそれぞれｎｇ、ｎｄ、ｎＦ、ｎＣとする。このとき以下の式で表される。
νｄ＝（ｎｄ−１）／（ｎＦ−ｎＣ）
θｇＦ＝（ｎｇ−ｎＦ）／（ｎＦ−ｎＣ）
【００２６】
このとき次の条件式のうち１つ以上を満足するのが良い。
２．０＜ｆ１／ｆ＜１０．０      ・・・（２）
０．８＜ｆ２／ｆ＜１．１        ・・・（３）
３．０＜ｆ３／ｆ＜１０．０      ・・・（４）
Ｎａｓｐ＞１．７０              ・・・（５）
−１＜（Ｒａ１＋Ｒａ２）／（Ｒａ１−Ｒａ２）＜５      ・・・（６）
θｇｆ２１＞０．６１            ・・・（７）
θｇｆ２２＜０．５５            ・・・（８）
【００２７】
次に前述の各条件式の技術的意味について説明する。条件式（２）乃至（４）は本発明の光学系Ｌ０を、弱い屈折力の第１レンズ群Ｌ１と、弱い正の屈折力の第３レンズ群Ｌ３で、フォーカス用の第２レンズ群を挟むレンズ構成とするためのものである。
【００２８】
第１レンズ群Ｌ１は大口径化に寄与しており、入射光束を収斂させて、第２レンズ群Ｌ２以降の入射光束径を小さくしている。条件式（２）の下限を超えると全体の屈折力に対して合焦時に不動の第１レンズ群Ｌ１の正の屈折力が強くなる。この結果、第２レンズ群Ｌ２のフォーカス移動量が大きくなりすぎるためよくない。条件式（２）の上限を超えると軸上光束の収斂が少なくなるため、第２レンズ群Ｌ２以降での屈折力が大きくなり、球面収差や色収差の補正が難しくなってくる。
【００２９】
第２レンズ群Ｌ２は全系の焦点距離とほぼ同等であると好ましい。条件式（３）の下限を超えると第２レンズ群Ｌ２の正の屈折力が強くなりすぎ、収差補正が難しくなるとともに、第３レンズ群Ｌ３の配置空間が少なくなるので良くない。条件式（３）の上限を超えると第２レンズ群Ｌ２のフォーカス移動量が大きくなりすぎるため全体が大型化してくる。
【００３０】
第３レンズ群Ｌ３は全体の収差補正と、至近距離へフォーカシングするときの収差変動を低減しており、弱い正の屈折力であるのが好ましい。条件式（４）の下限を超えると周辺光量が不足しやすくなり、条件式（４）の上限を超えると第２レンズ群Ｌ２で軸上光束が増大するためレンズ面の曲率が大となりやすく、球面収差や軸上色収差の補正が難しくなる。
【００３１】
球面収差を軽減するためには、開口絞りＳＰを含む第２レンズ群Ｌ２に非球面を配置するのが好ましい。また、非球面形状の非球面効果を増大するために、非球面レンズは条件式（５）を満たす高屈折率の材料より構成するのがよい。
【００３２】
第３レンズ群Ｌ３の厚さが厚く、条件式（６）を満たす空気レンズを有することで、ペッツバール和の低減を効果的に行っている。条件式（６）の下限を超えるとペッツバール和が増大してくる。また条件式（６）の上限を超えると、各レンズのレンズ面の曲率が近くなりすぎ、ペッツバール和による補正効果が低下してくる。
【００３３】
大口径比の光学系の場合、被写界深度が極めて浅くなる。このため、わずかなピントずれがあると画面全体の光学性能が低下してくる。特に軸上色収差による各色のピント差があると、色にじみとして解像感が低下するため、軸上色収差を良好に補正されていることが必要である。
【００３４】
一般に正レンズに低分散の材料を用いて軸上色収差の発生を抑え、負レンズに高分散の材料を用いて色消しを行うことが知られているが、それだけでは特に短波長側において色収差が残存しやすい。
【００３５】
そこで各実施例の光学系では前述したレンズ構成の下で条件式（７）、（８）を満足するのが良い。条件式（７）は正レンズ２１によって、短波長側の屈折力を増大し、色消しと合わせて広い波長帯域で軸上色収差を軽減するためのものである。条件式（８）は軸上色収差の発生量を軽減するためのものである。条件式（７）、（８）を満足するように、低屈折率で高分散の負レンズと、高屈折率で低分散の正レンズを配置すれば色消しを効果的に行うことが容易となる。
【００３６】
第２レンズ群Ｌ２は物体側から像側へ順に配置された、正レンズ２１、正レンズ２２、負レンズ２３、開口絞りを有し、負レンズ２３は非球面形状のレンズ面を含み、かつ物体側に凸面を向けたメニスカス形状よりなるのが良い。
【００３７】
第２レンズ群Ｌ２に入射した光束を正レンズ２１、正レンズ２２、負レンズ２３でさらに収斂することで、開口絞りＳＰより像側に配置する負レンズと、正レンズによる色消しの効果を高めている。また負レンズ２３を非球面レンズとすることで、レンズ面の曲率が大きくなりやすい正レンズ２１と、正レンズ２２より発生する球面収差の補正が効率に行い、負レンズ２３以降のレンズ有効径を小さくしている。
【００３８】
第３レンズ群Ｌ２は物体側から像側へ順に配置された、正レンズと負レンズを接合した接合レンズ、負レンズ、正レンズからなるのが良い。このような構成をとることで、少ないレンズ枚数で効率的にペッツバール和を補正するのが容易となる。第３レンズ群Ｌ３は少なくとも１つの非球面を有するのが好ましい。バックフォーカスが短い光学系では特に軸外収差が増大しやすいので、非球面を用いることにより像面湾曲や歪曲収差を補正し、更にサジタルフレアを効果的に補正している。
【００３９】
第１レンズ群Ｌ１は物体側から像側へ順に配置された、正レンズ、正レンズ、負レンズからなるのが良い。これによれば入射光束を正レンズで収束させ、負レンズで発散することで光束を効率良く収斂している。
【００４０】
実施例２、３ではフォーカシングに際して第２レンズ群Ｌ２が移動する。実施例３では、フォーカシングに際して、第３レンズ群Ｌ３は第２レンズ群Ｌ２と互いに異なった軌跡で移動している。これによればフォーカシングに際しての収差変動を効果的に補正することが容易になる。
【００４１】
次に本発明の光学系を撮像光学系として用いたデジタルスチルカメラ（撮像装置）の実施例に関して図５を用いて説明する。
【００４２】
図５において、１０はカメラ本体、１１は本発明の光学系によって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００４３】
このように、本発明の光学系をデジタルスチルカメラ等の撮像装置に適用することにより、全系が小型で良好な光学性能を有する撮像光学系が得られる。
【００４４】
以下、実施例１乃至４の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面係数は光軸方向にＸ軸、光軸と垂直方向にＨ軸、光の進行方向を正とし、Ｒを近軸曲率半径、Ｋを円錐定数、Ａ、Ｂ、Ｃ、Ｄを各々非球面係数としたとき、
【００４５】
【数１】
2019049646.tif 000003
なる式で表している。
【００４６】
＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と数値データとの関係を表１に示す。 
【００４７】
（数値データ1）
（レンズ群） EA（有効径）R       d       glass      nd      νd
OBJ（物体距離）
1   1   70.87     68.4564     8.2000    SFPM2    1.59522   67.73
2   69.33    144.7664     0.5000
3   66.77     68.5861    12.0000    SFPL51   1.49700   81.54
4   65.05   -800.0000     2.8000    SNBM51   1.61340   44.27
5   58.59     57.7047    15.3149
2   6   55.60     55.8845     5.0000    SNPH4    1.89286   20.36
7   54.03     78.7959     0.5000
8   50.60     36.0000    11.5000    SFPM2    1.59522   67.73
9   47.96    191.1367     3.8524
10*  39.81     65.7976     2.0000    SNBH56   1.85478   24.80
11   33.90     25.3489     8.5000
12   33.00       ∞        4.0000（開口絞り）
13   32.17    -67.4064     1.6000    STIM22   1.64769   33.79
14   32.01     46.6554     9.0000    SLAH55V  1.83481   42.72
15   31.88    -56.3647     1.7000
16   31.64    -36.4167     1.5000    STIM35   1.69895   30.13
17   32.19     69.5252     7.5000    TAFD25   1.90366   31.31
18   32.32    -50.0834     2.0000
3  19   36.39    111.1397     7.0000    TAFD30   1.88300   40.80
20   36.41    -56.7163     1.7000    STIM1    1.62588   35.70
21   35.61     49.5256     7.0000
22*  35.71    -50.0584     2.3000    LBAL42   1.58313   59.38
23*  38.37       ∞        0.5000
24   41.47     67.7770     5.5000    TAFD35   1.91082   35.25
25   41.59   8469.3686    13.5279
IMG    
【００４８】
非球面係数
R10           R22             R23
R    65.7976       -50.0584         1E+13
k          0            0              0
A    -2.9208E-06    -2.7151E-06  -3.0334E-06
B    -4.6570E-10     5.6754E-09   4.1049E-09
C     3.5596E-13    -4.9970E-12  -4.2155E-12
D     5.5963E-16     1.5780E-14   1.1825E-14
レンズ間隔
OBJ          d5        d18
1E+30      15.315     2.000
4100       13.140     4.175
700         2.500    14.815
【００４９】
（数値データ２）
（レンズ群）   EA（有効径）R        d       glass         nd         νd
OBJ（物体距離）
1   1       70.08     63.4639     9.0000    SYGH51       1.75500   52.32
2       68.66    151.8003     0.5000
3       65.04     61.8854    11.0000    SFPL55       1.43875   94.66
4       63.14    800.0000     2.0000    SNBM51       1.61340   44.27
5       55.11     42.4980    16.2666
2   6       52.97     52.6458     5.5000    SNPH1W       1.80809   22.76
7       51.65     88.0595     0.5000
8       47.85     33.5000    11.8000    SFPL51       1.49700   81.54
9       45.40    347.7223     1.2000
10*      40.76     73.9307     2.0000    SNBH56       1.85478   24.80
11       34.75     25.9345     8.7000
12       34.00      ∞         4.5000（開口絞り）
13       33.24    -57.3706     1.6000    SNBH8        1.72047   34.71
14       33.49    127.0378     8.0000    TAFD37       1.90043   37.37
15       33.64    -54.2677     1.7176
16       33.35    -37.6961     1.5000    STIM5        1.60342   38.03
17       33.79     54.8160     9.0000    TAFD30       1.88300   40.80
18       33.69    -55.6956     2.0000
3  19       38.10     94.3506    10.0000    TAFD30       1.88300   40.80
20       37.84    -49.1069     1.7000    STIM22       1.64769   33.79
21       36.07     45.7002     7.7933
22*      36.27    -68.8229     2.3000    STIM28       1.68893   31.07
23*      38.61      ∞         0.5000
24       41.95     64.7739     5.3000    SNBH56       1.85478   24.80
25       42.01    502.6807    13.9170
IMG                 
【００５０】
非球面係数
R10           R22            R23
R    73.9307       -68.8229         1E+13
k        0         0             0
A    -2.34369E-06 -1.35723E-05 -0.000011349
B    -4.57974E-10  2.80731E-08  2.66457E-08
C     3.89088E-13 -4.82515E-11 -4.04256E-11
D    -2.38394E-16  4.46053E-14  3.66763E-14
レンズ間隔
d5       d18
1E+30     16.27      2
4000      13.88      4.39
700        2.5      15.77
【００５１】
（数値データ３）
（レンズ群）   EA（有効径）R        d       glass         nd         νd
OBJ（物体距離）
1   1       77.18     70.7213    10.8178    PCD51        1.59349   67.00
2       75.54    249.8665     0.5000
3       69.06     72.9663    12.0622    SFPL55       1.43875   94.66
4       66.92   -425.5839     2.0000    SNBH5        1.65412   39.68
5       58.70     70.5590    19.3840
2   6       53.22     61.3718     5.5000    SNPH4        1.89286   20.36
7       51.55    124.5569     0.5000
8       45.53     32.7351    11.0000    SFPL55       1.43875   94.66
9       42.30    196.9214     2.8412
10*      36.39     74.4943     2.0000    SNBH56       1.85478   24.80
11       31.12     24.6139     8.7546
12       29.57       ∞        7.2975（開口絞り）
13       28.12    -75.8069     1.5000    SNBH5        1.65412   39.68
14       28.40     33.7056     8.0000    SLAL14       1.69680   55.53
15       28.65    -56.3206     2.2485
16       28.62    -31.3990     1.5000    STIL1        1.54814   45.78
17       32.03    132.0308     8.0000    TAFD30       1.88300   40.80
18       33.97    -45.1046     3.0000
3  19       37.27    122.2481     4.7000    TAFD45       1.95375   32.32
20       37.24   -160.7110     1.7000    STIM8        1.59551   39.24
21       36.85     58.4894     5.7902
22*      37.05    -79.5321     2.3000    STIL1        1.54814   45.78
23       39.58     74.1827     0.5000
24       41.26     56.8279     6.0000    TAFD30       1.88300   40.80
25       41.40   2949.8738    14.0824
IMG                 
【００５２】
非球面係数
sur    R10            R22
R    74.4943        -79.5321
k          0             0
A   -1.90055E-06  -2.99483E-07
B    1.00991E-10   2.41357E-09
C   -9.37309E-14  -2.75377E-12
D    5.65326E-16   7.35518E-16
レンズ間隔
0bj         d5        d18
1.00E+30   19.384      3
4106       16.355      6.029
706         2.5       19.884
【００５３】
（数値実施例４）
（レンズ群）   EA（有効径）R        d       glass         nd         νd
OBJ（物体距離）
1   1       76.73     67.4702    11.0000    PCD51        1.59349   67.00
2       74.70    193.2837     0.5000
3       69.32     74.8550    12.5000    SFPL55       1.43875   94.66
4       66.28   -550.3944     2.0000    SNBH5        1.65412   39.68
5       58.92     74.4220    30.4001
2   6       49.92     56.0347     6.0000    SNPH4        1.89286   20.36
7       47.83    107.8774     0.5000
8       42.65     32.3851    10.0000    SFPL55       1.43875   94.66
9       39.69    277.8320     2.9974
10*      33.46     79.4323     2.0000    SNBH56       1.85478   24.80
11       28.78     24.1970     6.7447
12       27.85       ∞        3.5143（開口絞り）
13       27.17    -60.7450     1.5000    SNBH5        1.65412   39.68
14       27.37     29.2377     8.0000    SYGH51       1.75500   52.32
15       27.47    -50.9260     1.8825
16       27.41    -30.5521     1.5000    STIL1        1.54814   45.78
17       30.09    210.4584     7.0000    TAFD30       1.88300   40.80
18       31.80    -43.0700     3.0000
3  19       35.15   -803.3981     6.0000    TAFD45       1.95375   32.32
20       35.51    -47.2877     1.7000    STIM28       1.68893   31.07
21       35.70     77.0121     5.7610
22*      35.90    -54.3484     2.3000    LBSL7        1.51633   64.06
23       39.37    140.3451     0.5000
24       42.36     61.7179     6.5000    TAFD35       1.91082   35.25
25       42.57   -261.0109    14.4943
IMG                 
【００５４】
非球面係数
R10              R22
R       79.4323          -54.3484
k           0                0
A       -3.22032E-06      -1.5876E-06
B        3.14236E-10       1.91273E-09
C       -5.64278E-13       3.991E-13
D        1.79148E-15      -5.06168E-15
レンズ間隔
S0         d5       d18       d25
1.00E+30  30.40      3        14.50
4100      27.87      5.50     14.53
350        2.5      27.38     18.02
【００５５】
【表１】
2019049646.tif 000004
【符号の説明】
【００５６】
Ｌ０  光学系      Ｌ１  第１レンズ群      Ｌ２  第２レンズ群
Ｌ３  第３レンズ群    ＩＰ  像面      ＳＰ  開口絞り
【図１】
2019049646.tif 000005
【図２】
2019049646.tif 000006
【図３】
2019049646.tif 000007
【図４】
2019049646.tif 000008
【図５】
2019049646.tif 000009